(57)【要約】    【課題】ドアホン子機の呼出ボタンと上ケースとの間に生じる間隙からの水の浸入および当該水の凍結を防止して、呼出ボタンの可動を確保する。    【解決手段】屋外に設置されるドアホン子機１において、スイッチ１３に載置された呼出ボタン１０を上ケース１ａの前面で保持させるにあたり、呼出ボタンを包囲して当該呼出ボタンと上ケースとの間に生じる間隙を可撓性の防水キャップ５０を使用して覆隠し、この防水キャップを両面テープ５２を使用して上ケースの前面に固定させる固定プレート５１ａ、５１ｂの形状を正方形または円形に形成する。    【選択図】図２
2005236565.tif 000002
【特許請求の範囲】
【請求項１】
屋外に設置され室内親機（２）との間で呼び出し、通話を行うドアホン子機（１）に設けられ、前記呼び出しを行うためのスイッチ（１３）に載置された呼出ボタン(１０)を上ケース（１ａ）の前面で保持し、前記呼出ボタンと前記上ケースとの間に生じる間隙（１００ａ）から浸入する水が凍結することにより前記呼出ボタンが可動不能となるのを防止するにあたり、
前記呼出ボタンを包囲して前記間隙を覆隠するための可撓性の防水キャップ（５０）と、前記防水キャップを前記上ケースの前面に固定するための固定プレート（５１ａ、５１ｂ）とを備えたことを特徴とするドアホン子機の呼出ボタン凍結防止構造。
【請求項２】
両面テープ（５２）を使用して前記上ケースの前面に前記固定プレートを取り付ける請求項１記載のドアホン子機の呼出ボタン凍結防止構造。
【請求項３】
前記固定プレートの形状を正方形または円形に形成して上下左右の区別を無くし、前記上ケースへの取付時の方向性を不要にすることを特徴とする請求項１または請求項２記載のドアホン子機の呼出ボタン凍結防止構造。
【発明の詳細な説明】
【技術分野】
【０００１】
本発明は、住戸玄関等の屋外に設置されるドアホン子機の構造に係り、呼出ボタンの可動を確保したドアホン子機の呼出ボタン凍結防止構造に関する。
【背景技術】
【０００２】
従来から、住戸玄関等の屋外に設置されており、住戸内に設置される室内親機との間で呼び出し、通話を行うドアホン子機の構造としては、呼び出しを行うためのスイッチに載置された呼出ボタンをドアホン子機の上ケースの前面で保持させていた（例えば、非特許文献１を参照）。
【０００３】
【非特許文献１】アイホン総合カタログ２００３／２００４年版（１１６頁）
【発明の開示】
【発明が解決しようとする課題】
【０００４】
しかしながら、従来例の構造を有するドアホン子機において、呼び出しを行うための呼出ボタンをドアホン子機の上ケースの前面で保持させるにあたり、呼出ボタンと上ケースに設けられた当該呼出ボタンを挿通させるための開口部との間に間隙が生じ、風雪が激しい地域の門柱に設置される等、設置条件が厳しい場合、この間隙から浸入された水が凍結すると、呼出ボタンが可動不能になる難点があった。
【０００５】
本発明は、上述の難点を解消するためになされたもので、ドアホン子機の呼出ボタンと上ケースとの間に生じる間隙からの水の浸入および当該水の凍結を防止して、呼出ボタンの可動を確保したドアホン子機の呼出ボタン凍結防止構造を提供することを目的としている。
【課題を解決するための手段】
【０００６】
上述の目的を達成するため、本発明のドアホン子機の呼出ボタン凍結防止構造は、屋外に設置され室内親機との間で呼び出し、通話を行うドアホン子機に設けられ、呼び出しを行うためのスイッチに載置された呼出ボタンを上ケースの前面で保持し、呼出ボタンと上ケースとの間に生じる間隙から浸入する水が凍結することにより呼出ボタンが可動不能となるのを防止するにあたり、呼出ボタンを包囲して間隙を覆隠するための可撓性の防水キャップと、防水キャップを上ケースの前面に固定するための固定プレートとを備えている。
【０００７】
また、本発明のドアホン子機の呼出ボタン凍結防止構造は、両面テープを使用して上ケースの前面に固定プレートを取り付ける構造である。
【０００８】
また、本発明のドアホン子機の呼出ボタン凍結防止構造は、固定プレートの形状を正方形または円形に形成して上下左右の区別を無くし、上ケースへの取付時の方向性を不要にしている。
【発明の効果】
【０００９】
本発明のドアホン子機の呼出ボタン凍結防止構造によれば、屋外に設置され室内親機との間で呼び出し、通話を行うドアホン子機において、スイッチに載置された呼出ボタンを上ケースの前面で保持させるにあたり、呼出ボタンを包囲して当該呼出ボタンと上ケースとの間に生じる間隙を可撓性の防水キャップを使用して覆隠することにより、間隙からの水の浸入および当該水の凍結が防止されるため、呼出ボタンの可動を確保できる。また、防水キャップを両面テープを使用して上ケースの前面に固定させる固定プレートの形状を正方形または円形に形成することにより、上下左右の区別が無くなり上ケースの前面に固定プレートを取り付ける際の方向性が不要となる。さらに、既に設置されているドアホン子機に対して容易に取り付けが可能となる。
【発明を実施するための最良の形態】
【００１０】
以下、本発明の呼出ボタン凍結防止構造を有するドアホン子機を適用した最良の実施例について、図面を参照して説明する。
【００１１】
図１（ａ）は、本発明の実施例による呼出ボタン凍結防止構造を有するドアホン子機１および当該ドアホン子機に伝送線路Ｌ1を介して接続された室内親機２の外観構成を示すシステム説明図である。
【００１２】
図１（ａ）のシステム説明図において、ドアホン子機１は、住戸玄関等の屋外に設置されており、来訪者が住戸内に在室中の居住者を呼び出すために操作する呼出ボタン１０と、来訪者が居住者との間で通話を行うための音声を送受信する子機マイク１１および子機スピーカ１２とを有している。
【００１３】
また、図１（ａ）のシステム説明図において、室内親機２は、住戸内に設置されており、ドアホン子機１にて呼出操作を行った来訪者からの呼び出しがある旨の呼出音を出力するための親機スピーカ２０と、親機スピーカ２０からの呼出音の出力を確認した居住者が来訪者との間で通話を行うための音声を送受信するマイクおよびレシーバを備えたハンドセット２１とを有している。
【００１４】
図２は、図１（ａ）のシステム説明図に示すドアホン子機１をＡ−Ａ面で切断し場合の断面図である。
【００１５】
図２の断面図において、ドアホン子機１の上ケース１ａには、当該子機のケース内に設けられるスイッチ１３に載置された呼出ボタン１０を当該上ケースの前面へと挿通させるための開口部１００が設けられている。
【００１６】
また、図２の断面図において、ドアホン子機１には、呼出ボタン１０を上ケース１ａの前面で保持させるにあたり、呼出ボタン１０を包囲して当該呼出ボタンと上ケース１ａに設けられた開口部１００との間に生じる間隙１００ａを覆隠するための可撓性の防水キャップ５０と、上ケース１ａの前面に防水キャップ５０を固定するための形状が正方形の固定プレート５１ａと、上ケース１ａの前面に固定プレート５１ａを取り付けるために使用される両面テープ５２とが備えられている。
【００１７】
このような本発明の実施例による呼出ボタン凍結防止構造を有するドアホン子機１において、以下、具体的な組み立て方法について説明する。
【００１８】
図１（ａ）のシステム説明図および図２の断面図に示すドアホン子機１において、呼出ボタン１０を上ケース１ａの前面で保持させるためには、先ず、上ケース１ａに設けられている開口部１００に挿通させた呼出ボタン１０を包囲して当該呼出ボタンと当該開口部との間に生じる間隙１００ａを可撓性の防水キャップ５０を使用して覆隠し、上ケース１ａの前面に両面テープ５２を使用して取り付けられる固定プレート５１ａにて防水キャップ５０を当該上ケースの前面に固定させる。これにより、呼出ボタン１０と上ケース１ａに設けられた開口部１００との間に生じる間隙１００ａから水が侵入して当該子機のケース内で凍結するのを防止でき、住戸玄関等の屋外に居る来訪者が住戸内に在室中の居住者を呼び出すために操作する呼出ボタン１０の可動が十分に確保できるばかりでなく、上述までの組み立て方法による水の侵入／凍結の防止および呼出ボタン１０の可動の十分な確保は、既存の当該ドアホン子機にも容易に適用可能である。
【００１９】
また、本発明の実施例による呼出ボタン凍結防止構造を有するドアホン子機１によれば、図１（ａ）のシステム説明図に示すように、固定プレート５１ａの形状が正方形に形成されていることから、上下左右の区別が無くなり上ケース１ａへの取付時の方向性が不要となる。
【００２０】
さらに、本発明の実施例による呼出ボタン凍結防止構造を有するドアホン子機１において、固定プレート５１ａの形状は、図１（ａ）のシステム説明図に示すような正方形の形状に限定されず、本発明の他の実施例として、図１（ｂ）のシステム説明図（Ａ−Ａ面で切断した場合の断面図は図２に示される）に示すような形状が円状の固定プレート５１ｂも好適とされ、上下左右の区別が無くなり上ケース１ａへの取付時の方向性が不要となる。
【００２１】
なお、本発明の実施例および他の実施例による呼出ボタン凍結防止構造を有するドアホン子機１としては、図１（ａ）、（ｂ）の各システム説明図に示すように映像撮像機能が備えられていないドアホン子機１を適用したが、呼出ボタン１０を操作した来訪者の映像や住戸玄関等の屋外の監視映像を撮像することができるカメラを有する当該ドアホン子機に本発明の実施例および他の実施例による呼出ボタン凍結防止構造を適用し、このドアホン子機にて撮像された映像をモニタを有する当該室内親機に出画させることもできる。
【００２２】
さらに、本発明の実施例および他の実施例による呼出ボタン凍結防止構造を有するドアホン子機１において、上ケース１ａの前面に正方形または円形の形状の固定プレート５１ａ、５１ｂを固定させるにあたり、当該固定手段は、上述の両面テープ５２を使用した手段に限定されず、ボルト止め、ネジ止め等の固定手段も好適である。
【図面の簡単な説明】
【００２３】
【図１】図１（ａ）は、本発明の実施例による呼出ボタン凍結防止構造を有するドアホン子機および当該ドアホン子機に伝送線路を介して接続された室内親機の外観構成を示すシステム説明図である。図１（ｂ）は、本発明の他の実施例による呼出ボタン凍結防止構造を有するドアホン子機および当該ドアホン子機に伝送線路を介して接続された室内親機の外観構成を示すシステム説明図である。
【図２】図２は、本発明の実施例および他の実施例による呼出ボタン凍結防止構造を有するドアホン子機をＡ−Ａ面で切断し場合の断面図である。
【符号の説明】
【００２４】
１……ドアホン子機
１ａ……上ケース
１０……呼出ボタン
１３……スイッチ
５０……防水キャップ
５１ａ、５１ｂ……固定プレート
５２……両面テープ
１００ａ……間隙
２……室内親機
【図１】
2005236565.tif 000003
【図２】
2005236565.tif 000004